(57)【要約】【課題】  書類の角留めと側面留めが兼用出来、角留めか側面留めかを選択することが出来る角留めクリップを提供する。【解決手段】  向かい合う前後面部を有し、この二面部を繋ぐための任意の長さの二面部とは傾きを異にした二個の連結部を、前記二面部のそれぞれの縁箇所の左右端部に離れて有することを特徴とする。【選択図】図１
2018047678.tif 000002
【特許請求の範囲】
【請求項１】
向かい合う前後面部を有し、この二面部を繋ぐための任意の長さの二面部とは傾きを異にした二個の連結部を、前記二面部のそれぞれの縁箇所の左右端部に離れて有することを特徴とする、角留めクリップ
【請求項２】
縁箇所を延長して、変形して、あるいは別具を前記縁箇所に付着することによって、挟持機能を補助する模様体や片を有した一面部以上が、リング状成型ないしは盤状成型のための造形箇所を除き、縦向き中心線に対し左右対称形を呈し、二面部の下端付近の上下がずれ合ったり反り合ったりすることを特徴とする、請求項１、２記載の、角留めクリップ。
【請求項３】
一面部側に切れ目を有することを特徴とする、請求項１、２、３記載の、角留めクリップ。
【発明の詳細な説明】
【技術分野】
【０００１】  書類を綴じるための、クリップに関する。
【背景技術】
【０００２】  書類の側面側を留めるのを主流とする。
【先行技術文献】
【特許文献】
【０００３】
【特許文献１】  特開平１０−０３５１６８
【特許文献２】  特開２００１−１８０１６６
【特許文献３】  特開２００７−０３０４９２
【発明の概要】
【発明が解決しようとする課題】
【０００４】  そのために次のような問題点があった。角留めと側面留めが兼用できるクリップはなかった。側面留めではめくったページが戻りやすかった。大きければ挟持力はあるが、書類記載箇所を隠すので邪魔であり、小さければ邪魔にならないが、力が弱く外れ易かった。
側面留めとしての機能を有する既存のクリップを例にとると、邪魔にならない小型を使用して角側に近い側面側を留めても、めくった時、開閉機能を有するつまみ部の厚みが邪魔をし、つまみ部を戻すとその長さが邪魔になっていた。
特許文献１は三角状の前後面部の連結部が一か所で９０度の角度を有する。特許文献２は二重の三角状のキャップを紙面の角部に被せる廃棄を目的とする紙製である。特許文献３は、帯状の前後面部で挟むもので、横向きの一方方向のみの挟持力を有する。
【課題を解決するための手段】
【０００５】  向かい合う前後面部を有し、この二面部を繋ぐための任意の長さの二面部とは傾きを異にした二個の連結部を、前記二面部のそれぞれの縁箇所の左右端部に離れて有することを特徴とする。
【発明の効果】
【０００６】      イ）  角留めが出来るので、めくった時、そのページが戻りにくくなった。
ロ）  角留めが出来て、内容を邪魔しにくくなった。
ハ）  部品を動かさなくても書類の角部に収まるようになった。
二）  つまみ部を有し持ちやすくなり、またより挟持力を有して留められて、ずれ            にくくなった。
ホ）  角留めと側面留めが兼用出来、どちらかを選択出来るようになった。
ヘ）  平生は書類の側面留めをし、めくる時には角側にスライドするような使い方            が出来るようになった。
ト）  書類のエッジを保護することが出来るようになった。
【図面の簡単な説明】
【０００７】
【図１】第一形態である。
【図２】第一形態である。
【図３】第一形態である。
【図４】第一形態である。
【図５】第二形態である。
【図６】第二形態である。
【図７】第二形態である。
【図８】第二形態である。
【図９】第二形態である。
【図１０】第三形態である。
【図１１】第三形態である。
【図１２】第三形態である。
【図１３】第四形態である。
【図１４】第四形態である。
【図１５】第四形態である。
【発明を実施するための形態】
【実施例１】
【０００８】  以下、本発明の実施の形態を説明する。
まず、全体の輪郭を述べる。縁箇所をリング状にしそれを元にする場合について述べる。三角形、多角形、楕円形、又はそれらのミックスで成るリング状の縁箇所（２）は、接合、重ね、添い合い、交差、磁石付着等のリング状成型のための造形周辺箇所以外では、後述の図１ａの縦向きの破線で表した中心線（１）によって、ｂの一面部以上が左右対称形を呈す。空間を土台とする二面部は、前記中心線に対して直角方向で折り曲げて設けた。この前後に分かれた主として平行に向かい合う二面部の左右両端部で繋ぐ上端箇所を連結部（５）とする。任意の幅を有する連結部同士は互いに平行か外向きの曲線で成る。二面部を縦の長さに長短を設けて下端をずらしあう方がよい。面部内部（４）に模様体を有する場合、その模様は必ずしも左右対称形ではない。
リング状について付け加えると、線状材使用の場合はもともとリング状に成型しているか、両端部近郊を繋いでねじる、はんだ付けをする等の固定を確実にする場合と、添わせ合って形状記憶にする、雄雌の留め具で留める方法等の着脱可能の二種類を有する。
線状材や帯状材、盤材で造るか先に折り曲げておくかの場合がある。内部に設けるつまみ部（１７）を主に、縁箇所から両連結部間の中点位置に向かって設けること、曲げ方合わせ方、ずらし方、書類（１０）への接触面の広さの配慮等によって、挟持力を生む。またつまみ易くする、挟持力を補助する等の目的で、縁箇所を芯として周囲幅を広げる。
Ａ４サイズレベルの書類を対象とする場合、書類の角部の二等分線上では角部より２√２ｃｍ位置に本願の表側の下端がくるように設ければ、書類内容に邪魔にならない。裏側になる面部には長さの制限は特にない。二個の連結部は書類の角部二側面それぞれのストッパーとなるため、前記２√２ｃｍ位置を本願下端部で守るようにすれば必然的に連結部間の長さが決まり、使用する書類の厚みに応じて連結部の幅も決まる。前後両面部で挟むのを目的とするため、上下箇所の長さはあまり変わらない。
リング状以外、二面部の空間状以外、連結部の平行関係以外については以下で説明する。【０００９】  図１〜図９を用いて線状材使用の縦長の楕円形の縁箇所（２）の場合で説明する。
図１〜図４で第一形態を説明する。
図１の左升内ａは成型前の正面図と側面図である。楕円形の長径方向に平行な縦向きの中心線（１）を破線で示す。縁箇所（２）内を面部内部（４）とする。右升内ｂは、縁箇所を前記中心線に直交する横向きの中間位置（３）近郊で前後の任意側に折り曲げて成型した正面図と右側面図である。連結部（５）と前後面部（６、１２）が現れる。連結部が在る方を上端側（７）とすれば、下端側（８）に挿入口（９）が生じる。
図２〜図４は使用図である。図２ａは書類（１０）の角側（１１）を下端側から差し込んで本願で挟んだ正面図、ｂはその時の平面図で後面部と上端側と連結部が現れる。この場合、前後面部の上端空間（１３）は平面図に平行四辺形を示すが、他に幅や位置が変化し波状や中間側が狭い形状または前後面部の内部を有して重なる場合でこの形状は変化する。図３ａは書類の側面側（１４）を挟んだ正面図、ｂはその時の平面図である。一方の連結部の長さを出来るだけ短くし空間形状を鋭角三角形状にし、ここにも挟持力を持たせようとしたものである。
図４で側面形状の種類を示す。まず連結部の幅によって張りを有し挟持力を有するが、より挟持力を有するために、下端側で互いに反り合うか反り戻って、あるいは共に一方方向へ曲げて設ける。前後面部がａで同じ長さ、ｂで異なる長さ、ｃで反り返り（１６）を設けた。反り返りを書類に対して直角程度に曲げ書類に穴を空け、そこに反り返りの先端を通す使い方をすれば挟持力の補助が出来る。これらのａ、ｂ、ｃでは先端が前後の二面部の中間辺り（１５）が、互いに近づき合う曲面の場合を示す。ｄは両方が一方に曲がり書面も曲がることで挟持力を生じる場合である。挿入しやすくするために、ａもｃもｄも前後面部の下端位置を上下にずらす方がよい。【００１０】  図５〜図９で線状材、帯状材の模様体で成るつまみ部（１７）を有する第二形態を説明する。主に縁箇所（２）の下端の横向きに対し、つまみ部をそれに交わる方向で有し挟持力をより強める。つまみ部は縁箇所を土台にし縁箇所を変形延長して設ける。つまび部の模様は片面部以上を左右対称形とする。下端側（８）は挿入口（９）なので、書類を入れ易くなるように、つまみ部の下端中央（１８）左右をあまり分離しないように設ける。つまみ部となるループや輪の下端を完全固定しない方が書類の厚みに対応可能となる。書類を挿入したのちに下端箇所が開いても問題はない。これは以下に通じる。
図５ａは上へ向けてループ（１９）を設けた、ｂは交差箇所（２０）を設けループを輪にした場合である。図６ａはループを二つの連結部（５）を結んだ位置より上側に突き出した場合である。書類の角側（１１）だけを使用対象とする場合、連結部位置より上側まで設けても問題はない。ｂ、ｃはこの時の連結部より上側を中心に示す側面図で、ｂはつまみ部が上側で添い合う、ｃは跳ね合う形状である。これらは前後のつまみ部の離れ合った箇所をつまべば、下側にその力は伝道し、挿入口がより開くことになる。【００１１】  図７で主として表面側とする片面部に関して説明する。つまみ部（１７）を連続模様で設けた花弁の具象形の場合の、ａは成型前で、連結部（５）となる折り曲げる位置を破線で示す。ｂ、ｃは成型後で、ｂは書類の角側（１１）、ｃは側面側（１４）での使用図である。図８は花の具象形に成型した場合の、ａは成型前、ｂは角側、ｃは側面側での使用図で、書類（１０）の裏側になる方を破線で示した。始点終点箇所（２１）をはんだ付けをしたりキャップ箇所にする。ここを幅広くし裏面側も同じぐらいの高さで設ければ、よりつまみ易くなる。
図９で主として裏面側とする面部に関して説明する。リング状に繋がないで線状のままで成型していくため、始点終点箇所（２１）を有する場合で、ａは始点終点箇所付近を交差箇所（２０）で引っかけ合ったり、ねじったり結んだりして左右に開いた場合、ｂは平行に並べその先端を内側に曲げて危険回避するなり、穴を開けた書類に対してはそのまま先端を穴に差し込んで使用する。ｃは始点終点近郊を添わせ合って固定する方法で、一部に空きを設ければ、反対面に凸状箇所を設けこれを書類から続けて差し込んだりすることが出来る。【００１２】  図１０〜図１２を用いて帯状材ないしは盤状材使用、あるいは型どりで成型した場合の第三形態を説明する。
図１０は帯状材でリング状に作成した成型前後の正面図で、縁箇所（２）が幅を有することで、全箇所がつまみ部の代用となり扱い易くなる。しかし、左升内ａで示すように、書類の側面側（１４）を対象として使用する時は問題がないが、角側（１１）で使用する時は帯幅があるのでそれが書類より外側にはみ出して邪魔になるという問題がある。右升内ｂは縁箇所の連結部（５）となる中間位置（３）を狭く細く設けて、前記問題を解決しようとする形態で、右は成型後の正面図である。
図１１で、つまみ部がより機能するために、つまみ部の両脇（２４）が離れている例を示す。帯状材で成型した場合か、盤状材をくり抜いて作った例で、ａはつまみ部をハート型と切れ目（２８）を有し、切れ目によって厚みに融通が効くことになる。ｂでは図１０での説明と同様に、連結部の幅を狭くした。またここでは、下端部を雌雄の留め具（２５）で留めた形状を示した。ここを磁石（２３）にしてもよい。
図１２は、連結部同士を平行に設けたため書類から突き出す箇所を、危険性を回避するためもあって、書類束の角部の直角に交差している両側面に添わせるように設けた場合で、連結部同士も交差方向にある。ａは展開図、ｂは正面から、ｃは後面からの作図である。後面部下端より前面部の縁箇所を長く設け、その長さを二分割して連結部の長さが決まる。後面部を盤状で設けその左右両端部で折り曲げる。切れ目を有する中間箇所を図の破線部分まで延長すれば、ここが重なり合って挟持力が上がる。特に後面部では書類の角部端部まで届くので書類のエッジ部分の変形が守られる。前後面部のどちらかを上方へ延長してピン穴に通せる穴を設けることも出来る。前面部には分別シールを貼ることも、前面部をキャラクター的なデザインで飾ることも出来る。【００１３】  図１３、図１４、図１５で、連結部（５）を別具として取り付けた場合、連結部（５）を前後面部（６、１２）に後から取り付けた場合、二重体から作る等の第四形態を説明する。
図１３は指からの力を確実に伝道させようとした例で、つまみ部（１７）が本体と連続せず、独立して前図１１で説明した原理をより強化させる目的で、設けたものである。前後面部（６、１２）の上端側（７）の左右両端を結んだりはんだ付け等の方法で接合するもので、左升内ａは上端側を幅広のストッパー箇所（２６）を設けた正面図と側面図、右升内ｂはつまみ部を縁箇所の下端側（８）にとりつけ場合の、正面図と使用側面図である。
図１４ａは線状材での前面部又は後面部の正面図、ｂは連結部、ｃはａとｂの成型後の斜視図である。図１５は三角状の二重体（２７）から切り取る場合で、元になる連結部は前記のように二重体の二枚の間にはんだ付けをして成型するか、幅を有する場合の二重体から連結部を残して切り取るかの方法がある。二重体の三角形状の頂点角度は直角程度がより良い。ａは二重体、ｂは二重体から必要箇所を切り取った正面図、ｃはｂの斜視図である。
【符号の説明】
【００１４】  １    中心線              ２    縁箇所              ３    中間位置
４    面部内部            ５    連結部              ６    前面部
７    上端側              ８    下端側              ９    挿入口
１０  書類                １１  角側                １２  後面部
１３  上端空間            １４  側面側              １５  中間辺り
１６  反り返り            １７  つまみ部            １８  下端中央
１９  ループ              ２０  交差箇所            ２１  始点終点箇所
２２  キャップ            ２３  磁石                ２４  両脇
２５  雌雄の留め具        ２６  ストッパー箇所      ２７  二重体
２８  切れ目
【図１】
2018047678.tif 000003
【図２】
2018047678.tif 000004
【図３】
2018047678.tif 000005
【図４】
2018047678.tif 000006
【図５】
2018047678.tif 000007
【図６】
2018047678.tif 000008
【図７】
2018047678.tif 000009
【図８】
2018047678.tif 000010
【図９】
2018047678.tif 000011
【図１０】
2018047678.tif 000012
【図１１】
2018047678.tif 000013
【図１２】
2018047678.tif 000014
【図１３】
2018047678.tif 000015
【図１４】
2018047678.tif 000016
【図１５】
2018047678.tif 000017